(57)【特許請求の範囲】
【請求項１】
複数の光源を備え、当該光源からの光を発光面から出射する照明部と
前記照明部の発光モードを、前記発光面から所定の明度が得られるように前記光源を発光させる照明モードと、発光した光源の集合により表される時刻を視認可能に前記発光面に表示させるように、前記光源を発光させる時計モードとの間で切り替えるモード切替手段と、
前記発光モードが照明モードであるとき、所定の明度が得られるように前記光源を発光させ、前記発光モードが時計モードであるとき、現在時刻を表す時刻情報に基づいて、現在時刻をアナログ時計表示するように、上記複数の光源のオンオフを個別に制御する制御手段とを備えており、
前記光源は、前記発光面に沿って、前記発光面の中心から放射状に配列して設けられており、
前記制御手段は、前記発光モードが時計モードであるとき、アナログ時計表示により現在時刻を表す時針及び分針に対応する列の前記光源を発光させ、
前記光源を放射状に配列した各列に、前記発光モードが時計モードであるときに常時発光する常夜光源をさらに備えていることを特徴とする照明装置。
【請求項２】
前記光源は発光ダイオードであり、前記光源を放射状に配列した各列には、波長範囲３８０ｎｍ〜５７０ｎｍの光を発する短波長発光ダイオードと、波長範囲５７１〜７５０ｎｍの光を発する長波長発光ダイオードとがそれぞれ設けられていることを特徴とする請求項１に記載の照明装置。
【請求項３】
前記制御手段は、放射状に配列した前記光源のうち特定の一列と、他の列とにおいて、発光する発光ダイオードの波長範囲が異なるように、前記短波長発光ダイオードの発光と前記長波長発光ダイオードの発光とを切り替えることを特徴とする請求項２に記載の照明装置。
【請求項４】
放射状に配列した前記光源のうち特定の一列と、当該列に前記発光面の中心を挟んで対向する列とに、時刻表示の基準となる位置であることを示す時刻目盛表示部をさらに備えていることを特徴とする請求項２または３に記載の照明装置。
【請求項５】
前記時刻目盛表示部を拡大表示する拡大部をさらに備えていることを特徴とする請求項４に記載の照明装置。
【請求項６】
クロック信号を生成するクロック発生部をさらに備え、
上記制御手段は、上記クロック信号に基づいて上記時刻情報を生成することを特徴とする請求項１〜５のいずれか１項に記載の照明装置。
【請求項７】
複数の光源を有し当該光源からの光を発光面から出射する照明部を備えた照明装置の制御方法であって、
前記照明部の発光モードを、前記発光面から所定の明度が得られるように前記光源を発光させる照明モードと、発光した光源の集合により表される時刻を視認可能に前記発光面に表示させるように、前記光源を発光させる時計モードとの間で切り替えるモード切替工程と、
前記発光モードが照明モードであるとき、所定の明度が得られるように前記光源を発光させ、前記発光モードが時計モードであるとき、現在時刻を表す時刻情報に基づいて、現在時刻をアナログ時計表示するように、上記複数の光源のオンオフを個別に制御する制御工程と
を含んでおり、
前記光源は、前記発光面に沿って、前記発光面の中心から放射状に配列して設けられており、
前記制御工程において、前記発光モードが時計モードであるとき、アナログ時計表示により現在時刻を表す時針及び分針に対応する列の前記光源を発光させ、
前記照明装置は、前記光源を放射状に配列した各列に、前記発光モードが時計モードであるときに常時発光する常夜光源をさらに備えていることを特徴とする制御方法。
【請求項８】
請求項１から６の何れか１項に記載の照明装置が備えている各手段としてコンピュータを動作させるためのプログラム。
【請求項９】
請求項８に記載のプログラムを記録しているコンピュータ読み取り可能な記録媒体。
【発明の詳細な説明】
【技術分野】
【０００１】
本発明は、複数の光源を備えた照明装置に関する。また、そのような照明装置の制御方法に関する。
【背景技術】
【０００２】
近年、複数の発光ダイオード（LED: Light emitting Diode）を備えた照明装置が用いられている。また、各ＬＥＤのオンオフを個別に制御することにより照明以外の機能を有する照明装置も知られている。
【０００３】
特許文献１には、時刻を数字で表示して視認可能に配置された時刻表示手段と、該時刻表示手段の時刻表示の方向を、使用者の視点に応じた最適な方向に切替選択する表示方向切替手段とを備えた、ＬＥＤ照明器具が記載されている。
【先行技術文献】
【特許文献】
【０００４】
【特許文献１】特開２００７−１４７３７８号公報（２００７年６月１４日公開）
【発明の概要】
【発明が解決しようとする課題】
【０００５】
夜間就寝中に眼が覚めたときに時刻を確認する場合、暗くて時計が見えず、時刻の確認まで時間がかかることが、就寝者の安眠が妨げられる要因となっている。また、照明を点灯し時刻を確認すると、就寝者は眠気が覚めてしまう等の不都合があるため、照明を点灯することなく、容易に時刻の確認ができる時計が望まれている。
【０００６】
特許文献１の技術によれば、就寝者の安眠を過度に妨害することなく、時刻の確認を行うことができる。
【０００７】
しかしながら、特許文献１の技術では、照明装置としての機能を発揮するための部品以外に、時刻表示手段や、時刻表示手段を最適な方向に切替選択するための部品、セグメント表示のための部品等が別途必要となり、コストが増大するという問題がある。
【０００８】
本発明は、上記課題に鑑みてなされたものであり、コストアップを抑制しつつ、時計機能を備えた照明装置を提供することを主たる目的とする。
【課題を解決するための手段】
【０００９】
上記の課題を解決するために、本発明に係る照明装置は、複数の光源を備え、当該光源からの光を発光面から出射する照明部と、前記照明部の発光モードを、前記発光面から所定の明度が得られるように前記光源を発光させる照明モードと、発光した光源の集合により表される時刻を視認可能に前記発光面に表示させるように、前記光源を発光させる時計モードとの間で切り替えるモード切替手段と、前記発光モードが照明モードであるとき、所定の明度が得られるように前記光源を発光させ、前記発光モードが時計モードであるとき、現在時刻を表す時刻情報に基づいて、現在時刻をアナログ時計表示するように、上記複数の光源のオンオフを個別に制御する制御手段とを備えていることを特徴としている。
【００１０】
上記構成によれば、複数の光源を備える照明部の発光モードを照明モードと時計モードとの間で切り替えることによって、本発明に係る照明装置を照明用途及び時計用途の両方として使用可能である。そして、照明用途に使用する光源を用いて時刻表示し、時計用途にも使用するので、時計表示のために別途表示手段を必要とせず、コストアップを抑制することができる。
【００１１】
本発明に係る照明装置において、前記光源は、前記発光面に沿って、前記発光面の中心から放射状に配列して設けられており、前記制御手段は、前記発光モードが時計モードであるとき、アナログ時計表示により現在時刻を表す時針及び分針に対応する列の前記光源を発光させることが好ましい。
【００１２】
上記構成によれば、発光面からムラの少ない光が出射され、ムラの少ない照明が得られる。また、光源が発光面の中心から放射状に配列されたことにより、中心部から発光面の周縁部に向かって、放射状の光源の列が形成される。したがって、当該光源の列をアナログ時計表示の時針及び分針に対応させて、現在時刻のアナログ時計表示に使用することができる。
【００１３】
本発明に係る照明装置において、前記光源は発光ダイオードであり、前記光源を放射状に配列した各列には、波長範囲３８０ｎｍ〜５７０ｎｍの光を発する短波長発光ダイオードと、波長範囲５７１〜７５０ｎｍの光を発する長波長発光ダイオードとがそれぞれ設けられていることが好ましい。
【００１４】
上記構成によれば、寒色系の色の光を出射する短波長発光ダイオードと暖色系の色の光を出射する長波長発光ダイオードとを組み合わせて用いているので、各光源の発光を制御することによって、発光面から所望の光を出射させることができる。
【００１５】
本発明に係る照明装置において、前記制御手段は、放射状に配列した前記光源のうち特定の一列と、他の列とにおいて、発光する発光ダイオードの波長範囲が異なるように、前記短波長発光ダイオードの発光と前記長波長発光ダイオードの発光とを切り替えることが好ましい。
【００１６】
上記構成によれば、特定の１列における発光色と他の列における発光色とを相違させることができるので、例えば発光モードが時計モードであるときに、１２時の位置に対応する列のみを他の列と異なる発光色で表すことによって、時刻確認を容易にすることが可能である。
【００１７】
本発明に係る照明装置において、前記光源を放射状に配列した各列に、前記発光モードが時計モードであるときに常時発光する常夜光源をさらに備えていることが好ましい。これにより、常夜光源を目印とすることによって、光源の発光によりアナログ時計表示がされている現在時刻を容易に確認することが可能になる。
【００１８】
本発明に係る照明装置は、放射状に配列した前記光源のうち特定の一列と、当該列に前記発光面の中心を挟んで対向する列とに、時刻表示の基準となる位置であることを示す時刻目盛表示部をさらに備えていることが好ましい。これにより、例えば発光モードが時計モードであるときに、１２時及び６時の位置に対応する列を、時刻目盛表示部が設けられた列とすることによって、容易に時刻確認することが可能である。また、照明装置を設置する際に、時刻目盛表示部を基準として設置することによって、視認容易なように設置することができる。
【００１９】
本発明に係る照明装置において、前記時刻目盛表示部を拡大表示する拡大部をさらに備えていることが好ましい。これにより、たとえ時刻目盛表示部が小さくても、容易に確認することができる。したがって、時刻目盛表示部を基準として現在時刻を容易に確認することができる。
【００２０】
本発明に係る照明装置において、クロック信号生成するクロック発生部をさらに備え、上記制御手段は、上記クロック信号に基づいて上記制御信号を生成することが好ましい。これにより、クロック発生部から取得した時刻情報に基づいて、制御手段が現在時刻をアナログ時計表示させるように、光源を発光させることが可能である。
【００２１】
また、本発明に係る照明装置の制御方法は、複数の光源を有し当該光源からの光を発光面から出射する照明部を備えた照明装置の制御方法であって、前記照明部の発光モードを、前記発光面から所定の明度が得られるように前記光源を発光させる照明モードと、発光した光源の集合により表される時刻を視認可能に前記発光面に表示させるように、前記光源を発光させる時計モードとの間で切り替えるモード切替工程と、前記発光モードが照明モードであるとき、所定の明度が得られるように前記光源を発光させ、前記発光モードが時計モードであるとき、現在時刻を表す時刻情報に基づいて、現在時刻をアナログ時計表示するように、上記複数の光源のオンオフを個別に制御する制御工程とを含んでいることを特徴としている。
【００２２】
上記の制御方法によれば、上述の照明装置と同様の効果を奏する。
【００２３】
また、上記照明装置が備えている各手段としてコンピュータを動作させるためのプログラム、及び、そのようなプログラムを記録しているコンピュータ読み取り可能な記録媒体も本発明の範疇に含まれる。
【発明の効果】
【００２４】
本発明の係る照明装置は、複数の光源を備え、当該光源からの光を発光面から出射する照明部と、前記照明部の発光モードを、前記発光面から所定の明度が得られるように前記光源を発光させる照明モードと、発光した光源の集合により表される時刻を視認可能に前記発光面に表示させるように、前記光源を発光させる時計モードとの間で切り替えるモード切替手段と、前記発光モードが照明モードであるとき、所定の明度が得られるように前記光源を発光させ、前記発光モードが時計モードであるとき、現在時刻を表す時刻情報に基づいて、現在時刻をアナログ時計表示するように、上記複数の光源のオンオフを個別に制御する制御手段とを備えているので、コストアップを抑制しつつ、時計機能を備えた照明装置を提供することが可能である。
【図面の簡単な説明】
【００２５】
【図１】本発明の一実施形態に係る照明装置の正面図である。
【図２】本発明の一実施形態に係る照明装置の構成を示すブロック図である。
【図３】本発明の一実施形態に係る照明装置において、時計表示時の発光状態を示す概略図である。
【図４】本発明の一実施形態に係る照明装置において、時計表示の一例を示す図である。
【図５】本発明の一実施形態に係る照明装置において、時計表示の一例を示す図である。
【図６】本発明の一実施形態に係る照明装置において、時計表示の一例を示す図である。
【発明を実施するための形態】
【００２６】
〔照明装置１０〕
以下、本発明の実施の形態について、詳細に説明する。まず、図１及び２を参照して、本実施形態に係る照明装置を説明する。図１は、本発明の一実施形態に係る照明装置１０の正面図であり、図２は、本発明の一実施形態に係る照明装置の構成を示すブロック図である。
【００２７】
図１に示すように、照明装置１０は、暖色ＬＥＤ（光源）１、寒色ＬＥＤ（光源）２、及び発光面４を備えている。また、照明装置１０は、常夜灯ＬＥＤ（常夜光源）３、ＬＥＤ基板６、時刻目盛表示部７及び拡大レンズ部（拡大部）８ａ及び８ｂをさらに備えていてもよい。照明装置１０は、その発光モードを照明モードと時計モードとの間で切り替えることによって、照明及び時計として使用可能なものである。
【００２８】
照明装置１０は、光源として、複数の暖色ＬＥＤ１及び寒色ＬＥＤ２を備えている。暖色ＬＥＤ１及び寒色ＬＥＤ２と、暖色ＬＥＤ１及び寒色ＬＥＤ２からの光を出射する発光面４とにより、照明部を構成している。照明装置１０においては、種々の可視光線を発光する発光ダイオードを組み合わせて用い、異なる色の光の組み合わせにより発光面４から所望の明度、彩度、及び色相の光が得られるように構成することができる。例えば、照明装置１０を照明用途に用いるとき、発光面４から白色光が出射されるように、種々の発光ダイオードが設けられていることが好ましい。本実施形態においては、暖色系の光を出射する暖色ＬＥＤ１及び寒色系の光を出射する寒色ＬＥＤ２を組み合わせて用いている。
【００２９】
暖色ＬＥＤ１及び寒色ＬＥＤ２は、ＬＥＤ基板６上に配列した状態で、発光面４に複数設けられている。また、ＬＥＤ基板６上に配列した暖色ＬＥＤ１及び寒色ＬＥＤ２は、図２に示すように、発光面４に沿って、発光面４の中心から放射状に配列して設けられていてもよい。これにより、発光面４からムラのない発光が可能である。
【００３０】
また、発光面４において、発光面４の中心から放射状に配列して設けられた各ＬＥＤ基板６の端部には、常夜灯ＬＥＤ３が設けられている。すなわち、常夜灯ＬＥＤ３は、ＬＥＤ基板６上に配列した暖色ＬＥＤ１及び寒色ＬＥＤ２の各列に、それぞれ設けられている。
【００３１】
なお、暖色ＬＥＤ１は、波長範囲５７１ｎｍ〜７５０ｎｍの光を発する長波長発光ダイオードを意図しており、寒色ＬＥＤ２は、波長範囲３８０ｎｍ〜５７０ｎｍの光を発する短波長発光ダイオードを意図している。
〔照明装置１０の構成〕
次に、図２を参照して、照明装置１０の構成を説明する。照明装置１０は、モード切替部（モード切替手段）１４及び制御部（制御手段）１５を備えている。また、照明装置１０は、電源１１、ＤＣ電源回路１２、クロック発生部１３、ドライバ群１６、及び発光ダイオード素子群１７を備えていてもよい。ドライバ群１６は、各ＬＥＤ基板６のそれぞれに対応するドライバ２０〜２０ｎを備えており、ドライバ２０〜２０ｎはそれぞれ、常夜灯ドライバ２１〜２１ｎ、暖色用ドライバ２２〜２２ｎ、及び寒色用ドライバ２３〜２３ｎを備えている。ここで、ｎは自然数を表しており、発光面４に設けられた暖色ＬＥＤ１及び寒色ＬＥＤ２が配列した列毎に、すなわちＬＥＤ基板６毎にドライバ２０が設けられていることを意図している。したがって、暖色ＬＥＤ１及び寒色ＬＥＤ２の列が１２列である場合、すなわちＬＥＤ基板６が１２枚設けられている場合には、ｎ＝１２であり、ドライバ２０を１２個備えている。
【００３２】
電源１１からの交流電力は、ＤＣ電源回路１２において直流電力に変換され、制御部１５及びドライバ群１６に供給される。ドライバ群１６は、発光ダイオード素子群１７に供給する電流量を制御するものであり、必要に応じて特定の発光ダイオード素子に電流を供給し、また特定の発光ダイオード素子への電流供給を停止することによって、発光ダイオード素子の発光と消灯とを切り替える。
【００３３】
クロック発生部１３は、クロック信号を生成して制御部１５に送信する。クロック発生部１３は、従来公知のクロック発生回路により構成すればよい。クロック発生部１３からのクロック信号を受信した制御部１５は、クロック信号に基づいて現在時刻を表す時刻情報を生成する。
【００３４】
モード切替部１４は、照明部の発光モードを、発光面から所定の明度を得られるように暖色ＬＥＤ１及び寒色ＬＥＤ２を発光させる照明モードと、発光した暖色ＬＥＤ１及び寒色ＬＥＤ２の集合により表される時刻を視認可能に発光面４に表示させるように、暖色ＬＥＤ１及び寒色ＬＥＤ２を発光させる時計モードとの間で切り替える。
【００３５】
モード切替部１４による発光モードの切り替えは、リモートコントローラー等を用いたユーザからの切り替え入力に基づいて行ってもよいし、予め定められた切り替え条件に基づいて、所定の時間等に自動的に切り替えるようになっていてもよい。ユーザからの切り替え入力に基づいて発光モードを切り替える場合には、リモコン受光部（図示せず）をさらに備え、所定の時間に自動的に発光モードを切り替える場合には、切り替え条件を記録するメモリ（図示せず）をさらに備えていてもよい。
【００３６】
モード切替部１４は、発光モードを切り替えたことを表す切替信号を制御部１５に送信する。モード切替部１４からの切替信号を受信した制御部１５は、切り替えられた発光モードが照明モードであるとき、発光面４から所定の明度が得られるように、ドライバ群１６の各ドライバ２０〜２０ｎにより、対応する発光ダイオード素子群を発光させる。ここで所定の明度とは、照明モード時に発光面４から得られる明度として、予めプログラムされた明度を意図している。
【００３７】
発光モードが照明モードであるとき、制御部１５はドライバ２０〜２０ｎに、発光面４上の全ての暖色ＬＥＤ１、寒色ＬＥＤ２及び常夜灯ＬＥＤ３を発光させてもよいし、暖色ＬＥＤ１のみ又は寒色ＬＥＤ２のみを発光させてもよい。発光モードが照明モードであるとき、発光面４から所定の明度が得られれば、発光させるＬＥＤの種類及び数は特に限定されない。
【００３８】
また、制御部１５は、切り替えられた発光モードが時計モードであるとき、クロック発生部１３から受信したクロック信号に基づいて現在時刻を表す時刻情報を生成し、当該時刻情報に基づいて、現在時刻をアナログ時計表示するように、ドライバ群１６の各ドライバ２０〜２０ｎにより、暖色ＬＥＤ１及び寒色ＬＥＤ２のオンオフを個別に制御する。
【００３９】
ドライバ群１６の各ドライバ２０〜２０ｎがそれぞれ備える暖色用ドライバ２２〜２２ｎは、各ドライバ２０〜２０ｎが対応するＬＥＤ基板６上に配設された暖色ＬＥＤ１を発光させ、寒色用ドライバ２３〜２３ｎは、各ドライバ２０〜２０ｎが対応するＬＥＤ基板６上に配設された寒色ＬＥＤ２を発光させる。すなわち、ＬＥＤ基板６上の暖色ＬＥＤ１及び寒色ＬＥＤ２のそれぞれに、暖色用ドライバ２２〜２２ｎ及び寒色用ドライバ２３〜２３ｎが設けられている。
【００４０】
したがって、制御部１５は、発光面４において発光させたい列に対応するＬＥＤ基板６上の暖色ＬＥＤ１及び寒色ＬＥＤ２を発光させるためのドライバ２０のみを駆動すればよい。すなわち、発光モードが時計モードであるとき、時針に対応する列及び分針に対応する列に対応するＬＥＤ基板６上の暖色ＬＥＤ１及び寒色ＬＥＤ２を発光させるためのドライバ２０を駆動すればよい。
【００４１】
なお、制御部１５は、予め組み込まれたプログラムにしたがって、各ドライバ２０〜２０ｎが備える常夜灯ドライバ２１〜２１ｎの駆動を制御することによって、発光面４に設けられた常夜灯ＬＥＤ３の発光を制御する。
【００４２】
発光モードが照明モードである場合と、時計モードである場合とにおいて、発光ダイオード素子群１７に供給される電流量を制御することによって、発光ダイオード素子群１７の光出力を相違させてもよい。これにより、例えば、時計モードである場合に発光ダイオード素子群１７に供給する電流量を、照明モードである場合よりも少なくすることによって、発光ダイオード素子群１７からの光出力を弱め、眩しさを抑えることができる。
【００４３】
ここで、図１に示すように、暖色ＬＥＤ１及び寒色ＬＥＤ２が配列したＬＥＤ基板６は、発光面４の中心から放射状に１２枚設けられている。すなわち、各ＬＥＤ基板６がそれぞれ、１２分割したアナログ時計の時間の一目盛に対応する位置に設けられているので、発光させるＬＥＤ基板６を制御することによって、容易にアナログ時計表示させることができる。
【００４４】
照明装置１０の発光モードが時計モードであり、時計として使用する場合には、現在時刻を表す時刻情報に基づいて、現在時刻をアナログ時計表示させるように、暖色ＬＥＤ１及び寒色ＬＥＤ２を発光させる。すなわち、現在時刻を表す時針及び分針に対応する列のＬＥＤ基板６に配列した暖色ＬＥＤ１及び寒色ＬＥＤ２を発光させる。つまり、照明装置１０は、発光した暖色ＬＥＤ１及び寒色ＬＥＤ２により、アナログ時計の時針及び分針が表され、現在時刻を表示するようになっている。なお、各ＬＥＤ基板６において、暖色ＬＥＤ１のみを発光させてもよいし、寒色ＬＥＤ２のみを発光させてもよい。
【００４５】
ＬＥＤ基板６上における暖色ＬＥＤ１及び寒色ＬＥＤ２の配置は特に限定されず、例えば、交互に配置されていてもよいし、２つ置きに配置されていてもよい。また、ＬＥＤ基板６上に配置する暖色ＬＥＤ１及び寒色ＬＥＤ２の数も特に限定されず、発光モードが照明モードであるときに所望の明度が得られ、発光モードが時計モードであるときに好適に時計表示できるような数であればよい。例えば、発光面４全体として、約１２０個の暖色ＬＥＤ１及び寒色ＬＥＤ２が設けられていれば、ＬＥＤ自身の性能にもよるが、照明として十分な明度が得られるため好ましい。
【００４６】
常夜灯３は、発光モードが時計モードであるときに常時発光させるものである。発光モードが照明モードであるときには、常夜灯ＬＥＤ３を他のＬＥＤと同様に発光させてもよいし、消灯させていてもよい。発光モードが時計モードであるとき、各ＬＥＤ基板６の端部に設けられた常夜灯ＬＥＤ３が常時発光しているので、当該常夜灯ＬＥＤ３を目印とすることによって、アナログ時計表示されている現在時刻を、容易に確認することが可能である。
【００４７】
なお、常夜灯ＬＥＤ３は、図１に示すように、端部に時刻目盛表示部７並びに拡大レンズ部８ａ及び８ｂが設置されている２枚のＬＥＤ基板６以外の、１０枚のＬＥＤ基板６のそれぞれに隣接するように１０個設置されていてもよい。これにより、常夜灯ＬＥＤ３の位置がアナログ時計表示において１２分割された時間の一目盛であることを、容易に確認することができる。また、時刻目盛表示部７並びに拡大レンズ部８ａ及び８ｂの代わりに、全てのＬＥＤ基板６の端部に常夜灯ＬＥＤ３を設置して、常夜灯ＬＥＤ３の数を１２個にしてもよい。
【００４８】
さらに、例えば、常夜灯ＬＥＤ３を発光面４の外周上に等間隔に６個設置して、隣接した常夜灯ＬＥＤ３間が２時間を表すようにしてもよい。なお、常夜灯ＬＥＤ３は、暖色ＬＥＤ１又は寒色ＬＥＤ２と同様の発光ダイオード素子により構成することが可能であるが、常時発光させていることから夜間の睡眠の妨げにならないよう、より明度の低いＬＥＤにより構成することが好ましい。
【００４９】
時刻目盛表示部７は、放射状に配列したＬＥＤ基板６の特定の一列の端部と、当該列に発光面４の中心を挟んで対向する列の端部とに設けられていてもよい。すなわち、例えば１２時を表す位置のＬＥＤ基板６の端部と、６時を表す位置の端部とに、時刻目盛表示部７を設ける。これにより、時刻目盛表示部７を基準として、容易に時刻を確認することができる。また、照明装置１０を天井等に設置する際に、時刻目盛表示部７を基準として設置することによって、視認容易なように設置することができる。
【００５０】
時刻目盛表示部７は、時刻表示の基準となる位置を示すことができれば、その形態は特に限定されず、図３に示すように、数字表示可能な表示板であってもよく、図１に示すように、複数のＬＥＤを組み合わせたものであってもよい。数字表示可能な表示板を時刻目盛表示部７として用いる場合には、ＬＥＤ上に数字を表すスリットが形成された板状体を重ね、スリットから漏れる光により数字を表示するようにしてもよい。
【００５１】
時刻目盛表示部７上には、時刻目盛表示部７を拡大表示する拡大レンズ部８ａ及び８ｂがそれぞれ配置されている。したがって、発光面４から時刻目盛表示部７を見たとき、時刻目盛表示部７が拡大表示され、たとえ時刻目盛表示部７が小さくても容易に確認することができる。したがって、時刻目盛表示部を基準として現在時刻を容易に確認することができる。
【００５２】
〔時刻表示の形態〕
次に、図３〜６を参照し、照明装置１０による時刻表示の表示形態の例について説明する。図３は、照明装置１０において、時計表示時の発光状態を示す概略図であり、図４〜６は、照明装置１０において、時計表示の一例を示す図である。
【００５３】
図３に示すように、照明部の発光モードが時計モードであり、現在時刻が１時であるとき、発光面４を１２分割した目盛の１を指す時針に対応する位置のＬＥＤ基板６上の暖色ＬＥＤ１と、発光面４を１２分割した目盛の１２を指す分針に対応する位置のＬＥＤ基板６上の暖色ＬＥＤ１とを発光させる。なお、図３においては、現在時刻の表示に関与していないＬＥＤ基板６及び発光させていない寒色ＬＥＤ２は省略している。
【００５４】
また、図４に示すように、アナログ時計表示により１時を表すとき、発光面４を１２分割した目盛の１を指す時針に対応する位置のＬＥＤ基板６上の暖色ＬＥＤ１及び寒色ＬＥＤ２と、発光面４を１２分割した目盛の１２を指す分針に対応する位置のＬＥＤ基板６上の暖色ＬＥＤ１及び寒色ＬＥＤ２とを発光させる。
【００５５】
そして、図５に示すように、アナログ時計表示により３時を表すとき、発光面４を１２分割した目盛の３を指す時針に対応する位置のＬＥＤ基板６上の暖色ＬＥＤ１及び寒色ＬＥＤ２と、発光面４を１２分割した目盛の１２を指す分針に対応する位置のＬＥＤ基板６上の暖色ＬＥＤ１及び寒色ＬＥＤ２とを発光させる。
【００５６】
また、図６に示すように、アナログ時計表示により５時を表すとき、発光面４を１２分割した目盛の５を指す時針に対応する位置のＬＥＤ基板６上の暖色ＬＥＤ１及び寒色ＬＥＤ２と、発光面４を１２分割した目盛の１２を指す分針に対応する位置のＬＥＤ基板６上の暖色ＬＥＤ１及び寒色ＬＥＤ２とを発光させる。
【００５７】
また、照明装置１０において、アナログ時計表示によって１時を表すとき、１時を示す時針及び分針に対応する列のＬＥＤ基板６上の暖色ＬＥＤ１を発光させ、他の列のＬＥＤ基板６上の寒色ＬＥＤ２を発光させてもよい。つまり、現在時刻を表す時針及び短針に対応する列とそれ以外の列とにおいて、異なる色で発光させることによって、色の相違から時刻を確認させてもよい。
【００５８】
さらに、現在時刻を表す時針に対応する列のＬＥＤ基板６上の暖色ＬＥＤ１を発光させ、分針に対応する列のＬＥＤ基板６上の寒色ＬＥＤ２を発光させてもよい。これにより、時針に対応する列と分針に対応する列とにおいて、異なる色で発光させることによって、時針と分針とを明確に区別することが可能であるため、より容易に現在時刻を確認することができる。
【００５９】
また、時針よりも分針が長く見えるように表示することによって、時針と分針とを区別させてもよい。例えば、分針に対応する列の暖色ＬＥＤ１を、時針に対応する列の暖色ＬＥＤ１よりも多く発光させることによって、時針よりも分針が長く見えるように表示させることができる。
【００６０】
さらに、現在時刻を表す時針及び分針に対応する列の端部に設けられた常夜灯ＬＥＤ３のみを発光させ、他の常夜灯ＬＥＤ３を消灯させることによって、常夜灯ＬＥＤ３のみによって現在時刻を表してもよい。
【００６１】
このように、照明装置１０がアナログ時計表示により現在時刻を表示するとき、分針の位置に対応するＬＥＤ基板６上の暖色ＬＥＤ１及び寒色ＬＥＤ２を常に発光させ、発光させる時針の位置に対応するＬＥＤ基板６を変化させる。これにより、時間単位の時刻を表示させることが可能でなる。なお、発光面４にＬＥＤ基板６を放射状に６０枚設け、同様に制御することによって、分単位の時刻を表示させることも可能である。
【００６２】
上述したように、照明装置１０によれば、複数の暖色ＬＥＤ１及び寒色ＬＥＤ２の発光モードを照明モードと時計モードとの間で切り替えることによって、照明用途及び時計用途の両方として使用可能である。そして、照明用途に使用する暖色ＬＥＤ１及び寒色ＬＥＤ２を用いて時刻表示し、時計用途にも使用するので、時計表示のために別途表示手段を必要とせず、コストアップを抑制しつつ、時計機能を備えた照明装置を提供することができる。
【００６３】
（付記事項）
上述した照明装置１０の備える制御部１５及びモード切替部１４は、集積回路（ＩＣチップ）上に形成された論理回路によってハードウェア的に実現してもよいし、ＣＰＵ（Central Processing Unit）を用いてソフトウェア的に実現してもよい。
【００６４】
後者の場合、上記装置は、各機能を実現するプログラムの命令を実行するＣＰＵ、上記プログラムを格納したＲＯＭ（Read Only Memory）、上記プログラムを展開するＲＡＭ（Random Access Memory）、上記プログラム及び各種データを格納するメモリ等の記憶装置（記録媒体）などを備えている。そして、本発明の目的は、上述した機能を実現するソフトウェアである上記各装置の制御プログラムのプログラムコード（実行形式プログラム、中間コードプログラム、ソースプログラム）をコンピュータ読み取り可能に記録した記録媒体を、上記装置に供給し、そのコンピュータ（またはＣＰＵやＭＰＵ）が記録媒体に記録されているプログラムコードを読み出し実行することによっても、達成可能である。
【００６５】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【００６６】
また、上記各装置を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【００６７】
本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【産業上の利用可能性】
【００６８】
本発明は、各種照明用途に利用可能である。
【符号の説明】
【００６９】
１    暖色ＬＥＤ（光源）
２    寒色ＬＥＤ（光源）
３    常夜灯ＬＥＤ（常夜光源）
４    発光面
６    ＬＥＤ基板
７    時刻目盛表示部
８ａ、８ｂ  拡大レンズ部（拡大部）
１０  照明装置
１１  電源
１２  ＤＣ電源回路
１３  クロック発生部
１４  モード切替部（モード切替手段）
１５  制御部（制御手段）
１６  ドライバ群
１７  発光ダイオード素子群
２０〜２０ｎ  ドライバ
２１〜２１ｎ  常夜灯ドライバ
２２〜２２ｎ  暖色用ドライバ
２３〜２３ｎ  寒色用ドライバ
【要約】
【課題】時計機能を備えた照明装置を提供する。
【解決手段】照明装置１０は、複数の暖色ＬＥＤ１及び寒色ＬＥＤ２からの光を発光面４から出射する照明部と、照明部の発光モードを、照明モードと時計モードとの間で切り替えるモード切替部１４と、照明モード時に、所定の明度に各ＬＥＤを発光させ、時計モード時に、現在時刻をアナログ時計表示させるように、各ＬＥＤのオンオフを個別に制御する制御部１５とを備えている。
【選択図】図１【図１】
0005189199.tif 000002
【図２】
0005189199.tif 000003
【図３】
0005189199.tif 000004
【図４】
0005189199.tif 000005
【図５】
0005189199.tif 000006
【図６】
0005189199.tif 000007